(57)【要約】      （修正有）【課題】開状態と閉状態との間の適宜な角度でロックでき、例えば、枝の切り落としや、雑草の刈り取りに使用するカマのような角度でロックでき使用できる折り畳み式ナイフを提供する。【解決手段】刃先１ａと先端部１ｂと略半円形状の基端部１ｃを備えたナイフ刃体１と、ハンドル部２と、ナイフ刃体１とハンドル部２を回動可能に軸着させた回動軸３と、ナイフ刃体１をハンドル部２に折り畳んだ収容状態でロックする第１ロック位置でロックするロック機構と、ナイフ刃体１とハンドル部２を直線状にした使用状態でロックする第２ロック位置でロックするロック機構とを備え、第１ロック位置と第２ロック位置との間に第３のロック位置でロックするロック機構を備えた。【選択図】図１
0003174301.tif 000002
【実用新案登録請求の範囲】
【請求項１】
長手方向の一側辺に刃先と鋭角形状の先端部と略半円形状の基端部とを備えたナイフ刃体と、該ナイフ刃体を折り畳み式に収容可能なハンドル部と、前記ナイフ刃体の基端部と前記ハンドル部の先端辺とを回動可能に軸着させた回動軸と、前記ナイフ刃体を前記ハンドル部に折り畳んだ収容状態でロックする第１ロック位置でロックするロック機構と、前記ナイフ刃体と前記ハンドル部とを直線状にした使用状態でロックする第２ロック位置でロックするロック機構と、を備えた折り畳み式ナイフにおいて、前記第１ロック位置と前記第２ロック位置との間に第３のロック位置でロックするロック機構を備えたことを特徴とする折り畳み式ナイフ。
【請求項２】
前記夫々のロック位置でロックするロック機構は、前記回動軸の近傍の片側の前記ハンドル部の先端部に穿設したロック用孔と、該ロック用孔に頭部を出没自在に挿通させた円柱状の押しボタンと、該押しボタンの基端の周方向に膨出させた略半円板状のロック部と、前記押しボタンの中心に開口させたスプリング用孔から突出させたコイルスプリングと、前記ロック部を挿脱させる前記ナイフ刃体の略半円形状の基端部の外周の第１ロック位置と第２ロック位置と第３ロック位置とに切欠した略半円形状の夫々の切欠部と、を備えたこと特徴とする請求項１に記載の折り畳み式ナイフ。
【請求項３】
前記第３ロック位置は、前記ナイフ刃体と前記ハンドル部とが直線状の位置から前記刃先の方向に３０〜６０度回動させた位置に前記切欠部を切欠したことを特徴とする請求項１又は請求項２に記載の折り畳み式ナイフ。
【考案の詳細な説明】
【技術分野】
【０００１】
本考案は、折り畳み式ナイフに関するものであって、更に、詳細には、第１ロック位置と第２ロック位置と第３ロック位置とを備え、夫々のロック位置でロックできる折り畳み式ナイフに関するものである。
【背景技術】
【０００２】
従来から、不用意に収納している刃体が飛び出したり、使用中の刃体が不用意に折れ曲がったりしないように、ロック付きの折り畳み式ナイフは各種開発されており、安全な刃物としてそれなりに役に立っている。
【０００３】
例えば、先に開示された、 一方側板（１ａ）と他方側板（１ｂ）を有しており、該他方側板（１ｂ）の背側の一部を利用するか、又は別個に取り付けた内側に押圧を持ったアーム状板（２）を設け、該アーム状板の先端には凸部（３）が有り、該一方側板と該他方側板の基端に支軸（４）を介して、端部に背側凹部（６）が付いた本体（５）の基端を折り畳み可能に軸着し、該凸部（３）と本体（５）の端部の該凹部（６）が係合ロックするもの（特許文献１参照）や、内部に係止部を設けた中空のミゾ付き軸（８）の孔（１１）に圧縮用コイルバネ（１４）の一端を係止して、刀身（１）及びハンドル（５）に組付ける。次にハンドル（５）の両側から、フランジ（１５）及びネジ付きフランジ（２０）を被せ、小ネジ（２３）で螺合する。この時ミゾ付き軸（８）及び操作部（９）を、複数個に分割する溝（１２）を設け、フランジ（１５）にも溝（１２）が摺嵌する孔（１６）を設ける。次にフランジ（１５）の中心に小ネジ（２３）の頭部が沈み込むネジ座（１８）を設ける。又ミゾ付き軸（８）の操作部（９）はフランジ（１５）より突出して、指で圧縮用コイルバネ（１４）に抗して押圧出来る構造とし、それと同時に刀身（１）のボス（４）、ハンドル（５）のボス（６）に摺嵌するミゾ付き軸（８）により、固着されていたハンドル（５）がミゾ付き軸（８）の全周溝（１３）により、フリーに回動出来る状態となるもの（特許文献１参照）や、鞘体１内に収納されるブレード２は、鞘体１外側に露出した回転体３と一体に取り付けられ、回転体３に出没自在に設けられた操作子４は鞘体１内に設けられた板バネ５により外側に付勢されている。片手で鞘体１を保持し、拇指で回転体３を回転させてブレード２が開き完了となった状態では、ブレード２の基端部に設けられた受け溝６０と板バネ５の先端とが係合して、ブレード２はロックされる。拇指で操作子４が押込まれると、板バネ５と受け溝６０の係合が解除され、操作子４の偏心回転によってブレード２を収納できるもの（特許文献３参照）等が開示されている。
【特許文献１】特開２００７−１５２０８１号公報
【特許文献２】実開平７−３７０３９号公報
【特許文献２】登録実用新案第第３００８１９９号公報
【考案の開示】
【考案が解決しようとする課題】
【０００４】
然し乍ら、特許文献１〜３に記載のものは、ロック付きのナイフに関するものであるが、開状態、又は、閉状態、又は、その両方でロック可能なもので、安全性や操作性、又は、装飾性を有するものであり、開状態と閉状態とではロックできるものの、開状態と閉状態との間の適宜な角度でロックでき、例えば、枝の切り落としや、雑草の刈り取りに使用するカマのような角度でロックでき使用できるものは無い。
【課題を解決するための手段】
【０００５】
本考案の折り畳み式ナイフは、前述の課題に鑑み、鋭意研鑽の結果、刃先と先端部と略半円形状の基端部とを備えたナイフ刃体と、ハンドル部と、ナイフ刃体とハンドル部とを回動可能に軸着させた回動軸と、ナイフ刃体をハンドル部に折り畳んだ収容状態でロックする第１ロック位置でロックするロック機構と、ナイフ刃体とハンドル部とを直線状にした使用状態でロックする第２ロック位置でロックするロック機構と、を備えた折り畳み式ナイフにおいて、第１ロック位置と第２ロック位置との間に第３のロック位置でロックするロック機構を備えたものであり、更に、ロック機構は、片側のハンドル部の先端部に穿設したロック用孔と、ロック用孔に頭部を出没自在に挿通させた円柱状の押しボタンと、押しボタンの基端の周方向に膨出させた略半円板状のロック部と、押しボタンの中心に開口させたスプリング用孔から突出させたコイルスプリングと、ロック部を挿脱させるナイフ刃体の略半円形状の基端部の外周の第１ロック位置と第２ロック位置と第３ロック位置とに切欠した略半円形状の切欠部と、を備えたものであり、更には、第３ロック位置は、ナイフ刃体とハンドル部とが直線状の位置から刃先の方向に３０〜６０度回動させた位置に切欠部を切欠したものである。
【考案の効果】
【０００６】
本考案の折り畳み式ナイフは、ナイフ刃体をハンドル部に折り畳んだ収容状態でロックする第１ロック位置でロックするロック機構と、ナイフ刃体とハンドル部とを直線状にした使用状態でロックする第２ロック位置でロックするロック機構とを備えると共に、第１ロック位置と第２ロック位置との間の第３のロック位置でロックするロック機構を備えたもので、例えば、木の枝を切り落とす作業や、雑草を刈り取るカマの様な斜め下方向に力を入れて切断するためのナイフとして使用できるものあり、極めて有用な考案である。
【考案を実施するための最良の形態】
【０００７】
以下、本考案の折り畳み式ナイフの実施の形態を図面によって説明すると、図１は本考案の折り畳み式ナイフの使用状態の実施例の平面説明図であり、図２は本考案の折り畳み式ナイフの第３のロック位置でロックした状態の実施例の平面説明図であり、図３は本考案の折り畳み式ナイフの実施例のロック機構を説明するための要部断面図である。
【０００８】
本考案は、折り畳み式ナイフに関するものであって、更に、詳細には、第１ロック位置と第２ロック位置と第３ロック位置とを備え、夫々のロック位置でロックできる折り畳み式ナイフに関するものであり、請求項１に記載の折り畳み式ナイフは、長手方向の一側辺に刃先１ａと鋭角形状の先端部１ｂと略半円形状の基端部１ｃとを備えたナイフ刃体１と、該ナイフ刃体１を折り畳み式に収容可能なハンドル部２と、前記ナイフ刃体１の基端部１ｃと前記ハンドル部２の先端辺２ａとを回動可能に軸着させた回動軸３と、前記ナイフ刃体１を前記ハンドル部２に折り畳んだ収容状態でロックする第１ロック位置でロックするロック機構４と、前記ナイフ刃体１と前記ハンドル部２とを直線状にした使用状態でロックする第２ロック位置でロックするロック機構４と、を備えた折り畳み式ナイフにおいて、前記第１ロック位置と前記第２ロック位置との間に第３のロック位置でロックするロック機構４を備えたことを特徴とするものである。
【０００９】
更に、請求項２に記載の折り畳み式ナイフは、請求項１に記載の折り畳み式ナイフにおいて、前記夫々のロック位置でロックするロック機構４は、前記回動軸３の近傍の片側の前記ハンドル部２の先端部２ａに穿設したロック用孔２ｂと、該ロック用孔２ｂに頭部を出没自在に挿通させた円柱状の押しボタン４ａと、該押しボタン４ａの基端の周方向に膨出させた略半円板状のロック部４ｂと、前記押しボタン４ａの中心に開口させたスプリング用孔（図示しない）から突出させたコイルスプリング４ｃと、前記ロック部４ｂを挿脱させる前記ナイフ刃体１の略半円形状の基端部１ｃの外周の第１ロック位置と第２ロック位置と第３ロック位置とに切欠した略半円形状の夫々の切欠部１ｄ．１ｅ．１ｆと、を備えたものである。
【００１０】
更には、請求項３に記載の折り畳み式ナイフは、請求項１又は請求項２に記載の折り畳み式ナイフにおいて、前記第３ロック位置は、前記ナイフ刃体１と前記ハンドル部２とが直線状の位置から前記刃先１ａの方向に３０〜６０度回動させた位置に前記切欠部１ｆを切欠したことを特徴とするものである。
【実施例】
【００１１】
即ち、ナイフ刃体１は、図１又は図２に図示するように、長手方向の一側辺には切断するための刃先１ａを備えており、先端部１ｂは鋭角形状に形成され、基端部１ｃは略半円形状に形成され、略中央には後述する回動軸３を挿通させる円孔を穿設しているもので、一般的には金属で形成されているものであるが、近年ではセラミックで形成されたものも市販されているものである。
【００１２】
次に、ハンドル部２は、ナイフ刃体１を折り畳み式に収容可能な長手方向に長溝状の収容スペースを設けているもので、ナイフ刃体１を収容スペースに収容して安全性を図ると共に、ハンドル部２とナイフ刃体１とを直線状にして切断する時には、手で把持するもので、合成樹脂や木製で形成されているものである。
【００１３】
次いで、回動軸３は、ナイフ刃体１の基端部１ｃとハンドル部２の先端辺２ａとを回動可能に軸着させているもので、実施例では、ナイフ刃体１の基端部１ｃの中央辺に円孔を穿設し、ハンドル部２の先端辺２ａには、長溝状のスペースの片側の壁にナットを埋設し、他側の壁に貫通孔を穿設して、該貫通孔にボルトを挿通させナイフ刃体１の基端部１ｃの円孔に挿通させてナットに螺着することにより、ナイフ刃体１を回動可能に軸着させているものである。
【００１４】
更に、ロック機構４は、ナイフ刃体１をハンドル部２に折り畳んだ収容状態でロックする第１ロック位置と、ナイフ刃体１とハンドル部２とを直線状にした使用状態でロックする第２ロック位置と、加えて、後述する第３のロック位置でロックするものであり、そのロック機構４は、各種考慮されるが、第１ロック位置と第２ロック位置と第３のロック位置でロックできる機構なら構わないものである。
【００１５】
更には、第３のロック位置は、第１ロック位置と第２ロック位置との間に設けるもので、第３のロック位置には当然ロック機構４を備えているもので、折り畳んだ収容状態の第１ロック位置から、直線状にした使用状態での第２ロック位置までの回動の範囲の任意の角度でロックできるものである。
【００１６】
そして、第１ロック位置と第２ロック位置と第３ロック位置の夫々のロック位置でロックするロック機構４の一実施例では、ハンドル部２に穿設したロック用孔２ｂと、円柱状の押しボタン４ａと、押しボタン４ａに膨出させたロック部４ｂと、コイルスプリング４ｃと、ナイフ刃体１の基端部１ｃに切欠させた略半円形状の夫々の切欠部１ｄ．１ｅ．１ｆとから成るものである。
【００１７】
次に、ロック用孔２ｂは、回動軸３の近傍のハンドル部２の片側の先端部に穿設したもので、後述する円柱状の押しボタン４ａを挿通させて、頭部が出没自在に摺動できるものである。
【００１８】
次いで、押しボタン４ａは、円柱状の本体と、後述する膨出させた略半円板状のロック部４ｂとから成るもので、頭部はロック用孔２ｂに出没自在に挿通させるものである。
【００１９】
更に、ロック部４ｂは、円柱状の押しボタン４ａの基端の周方向に膨出させた略半円板状のもので、押しボタン４ａが摺動することでナイフ刃体１の夫々の切欠部１ｄ．１ｅ．１ｆに出入りするものである。
【００２０】
更には、コイルスプリング４ｃは、押しボタン４ａの中心に開口させたスプリング用孔から突出させ、押しボタン４ａとハンドル部２の内側との間に弾性を付与しているもので、押しボタン４ａをコイルスプリング４ｃの弾性に抗して押圧することで後述するロック状態を解除でき、押しボタン４ａの押圧を解放しナイフ刃体１を回動させ、夫々のロック位置に位置させればロック状態と成るものである。
【００２１】
そして、夫々の切欠部１ｄ．１ｅ．１ｆは、ナイフ刃体１の略半円形状の基端部１ｃの外周に略半円形状に切欠させたもので、第１ロック位置と第２ロック位置と第３ロック位置とに形成しているものである。
【００２２】
つまり、図３に図示するように、押しボタン４ａを解放している状態では、押しボタン４ａの膨出させた略半円板状のロック部４ｂが、ナイフ刃体１の基端部１ｃの外周に切欠させた切欠部に挿入しており、ナイフ刃体１が回動でないロック状態と成っており、押しボタン４ａをコイルスプリング４ｃの弾性に抗して押圧することにより、ロック部４ｂが切欠部より下方に外れてナイフ刃体１は回動自在となるものである。
【００２３】
加えて、第３ロック位置は、図２に図示するように、ナイフ刃体１とハンドル部２とが直線状の位置から刃先１ａの方向に３０〜６０度回動させた位置に切欠部１ｆを切欠させたものである。
【００２４】
つまり、枝切りや草刈りに使用する時は、第３のロック位置にロックさせて切断するもので、つまり、第２のロック位置にロックさせて真横に切断するより、刃先１ａが３０〜６０度、好適には５０度程度傾斜している方が遙かに使い勝手が良いものである。
【産業上の利用可能性】
【００２５】
本考案は、ナイフ刃体をハンドル部に折り畳んだ収容状態でロックする第１ロック位置でロックするロック機構と、ナイフ刃体とハンドル部とを直線状にした使用状態でロックする第２ロック位置でロックするロック機構とを備えると共に、第１ロック位置と第２ロック位置との間に第３のロック位置でロックするロック機構を備えたもので、例えば、木の枝を切り落とす作業や、雑草を刈り取るカマの様な斜め下方向に力を入れて切断するためのナイフとして使用できる折り畳み式ナイフを提供するものである。
【図面の簡単な説明】
【００２６】
【図１】図１は本考案の折り畳み式ナイフの使用状態の実施例の平面説明図である。
【図２】図２は本考案の折り畳み式ナイフの第３のロック位置でロックした状態の実施例の平面説明図である。
【図３】図３は本考案の折り畳み式ナイフの実施例のロック機構を説明するための要部断面図である。
【符号の説明】
【００２７】
１      ナイフ刃体
１ａ    刃先
１ｂ    先端部
１ｃ    基端部
１ｄ    第１のロック位置の切欠部
１ｅ    第２のロック位置の切欠部
１ｆ    第３のロック位置の切欠部
２      ハンドル部
２ａ    先端辺
２ｂ    ロック用孔
３      回動軸
４      ロック機構
４ａ    押しボタン
４ｂ    ロック部
４ｃ    コイルスプリング
【図１】
0003174301.tif 000003
【図２】
0003174301.tif 000004
【図３】
0003174301.tif 000005